(57)【特許請求の範囲】
【請求項１】
内周面から外周面まで微細な孔が連続する多孔体からなる筒状除湿部材の外周面に光触媒を担持し、前記筒状除湿部材の外周面側に前記光触媒を励起する励起手段を設けた除湿素子。
【請求項２】
内周面から外周面まで微細な孔が連続する多孔体からなる筒状除湿部材の内周面に、多孔材からなる突起部分を中心方向に、ヒダ状に突起させ、この突起部分を円周方向に配列させ、この突起部分に光触媒を担持し、この光触媒を励起する励起手段を前記筒状除湿部材の中空部に設けた除湿素子。
【請求項３】
内周面から外周面まで微細な孔が連続する多孔体からなる筒状除湿部材の内周面に光触媒を担持し、この光触媒を励起する励起手段を前記筒状除湿部材の中空部に設け、前記筒状除湿部材の多孔体を内層と外層に２層化し、この内層と外層の間に透湿性フィルムを挟んだ除湿素子。
【請求項４】
内周面から外周面まで微細な孔が連続する多孔体からなる筒状除湿部材に光触媒を担持し、前記筒状除湿部材の外周面に、酸化触媒を塗布した陽子交換膜を設けた除湿素子。
【請求項５】
内周面から外周面まで微細な孔が連続する多孔体からなる筒状除湿部材に光触媒を担持し、前記筒状除湿部材の外周面に、酸化触媒を塗布した網目状の陽子交換膜を設けた除湿素子。
【請求項６】
内周面から外周面まで微細な孔が連続する多孔体からなる筒状除湿部材に光触媒を担持し、前記筒状除湿部材の外周面に、多孔性アノード電極膜と、この外周面に酸化触媒を塗布した陽子交換膜と、カソード電極膜を順次設けた記載の除湿素子。
【請求項７】
内周面から外周面まで微細な孔が連続する多孔体からなる筒状除湿部材に光触媒を担持し、前記筒状除湿部材の外周面に、多孔性アノード電極膜と、この外周面に酸化触媒を塗布した陽子交換膜と、多孔性カソード電極膜を順次設けたものを１ブロックとし、軸方向に平行して複数ブロック配列し、各ブロック間を絶縁部で絶縁し、さらに各ブロック間の前記多孔性アノード電極膜と前記多孔性カソード電極膜を導電部で直列に結線した除湿素子。
【請求項８】
筒状除湿部材に光触媒を担持し、軸方向に並列して複数個設けた請求項１、２、３、４、５、６または７記載の除湿素子。
【請求項９】
導入口と給気口を備えた本体の内部に、室内空気を循環するファンとモータを有する循環送風機と、光触媒を担持した筒状除湿部材の中空部に光触媒を励起する励起手段と、前記筒状除湿部材の導入口側にフィルタを設け、本体に吸気口と排気口を設け、筒状除湿部材の外側に換気空気を送風するファンとモータを有する換気送風機を設け、室内空気を除湿できる請求項２、３、４、５、６または７記載の除湿素子を備えた除湿装置。
【請求項１０】
導入口と給気口を備えた本体の内部に、室内空気を循環するファンとモータを有する循環送風機と、光触媒を担持した筒状除湿部材と、前記光触媒を励起する励起手段と、前記除湿部材の導入口側にフィルタと水分及び水蒸気を排出する排出口を設けた請求項９記載の除湿装置。
【請求項１１】
導入口と給気口を備えた本体の内部に、室内空気を循環するファンとモータを有する循環送風機と、光触媒を担持した筒状除湿部材と、前記光触媒を励起する励起手段と、前記筒状除湿部材の導入口側にフィルタと蒸気を凝縮する凝縮部と、この凝縮部の下方に貯水部を設け、室内空気を除湿できる請求項９記載の除湿装置。
【請求項１２】
本体内の給気口に湿度検知素子と、この湿度検知素子の入力を検知する湿度検知手段を本体外に設け、前記湿度検知素子と前記湿度検知手段により、光触媒を励起する励起手段を駆動させる駆動回路を設け、室内空気を除湿できる請求項９、１０または１１記載の除湿装置。
【請求項１３】
一定時間で接点が開閉する設定時間計測手段を設け、この設定時間計測手段により、光触媒を励起させる励起手段を駆動させる駆動回路を設け、室内空気を除湿できる請求項９、１０または１１記載の除湿装置。
【請求項１４】
ヒータを設けて室内空気を除湿できる請求項９、１０、１１、１２または１３記載の除湿装置。
【請求項１５】
湿度検知素子と湿度検知手段によりヒータを駆動させる駆動回路を設け、室内空気を除湿できる請求項１４記載の除湿装置。
【発明の詳細な説明】
【０００１】
【発明の属する技術分野】
本発明は、室内空気を除湿する除湿素子および除湿装置に関する。
【０００２】
【従来の技術】
従来、この種の除湿装置としては冷凍サイクルを利用して、空気中の水分を凝縮除去するものや、水分を吸着する除湿ロータを利用した特開平５−２００２３１号公報に記載されたものが知られている。
【０００３】
以下、その除湿ロータを利用した除湿装置について図２９を参照しながら説明する。
【０００４】
図に示すように、回転する除湿ロータ２０１を備え、この除湿ロータ２０１は、回転に伴い除湿ゾーン２０２、再生ゾーン２０３、冷却ゾーン２０４を通過１回転する。また室内空気２０５を除湿ゾーン２０２に送風する除湿ファン２０６と、冷却空気２０７を冷却ゾーン２０４に送風する冷却ファン２０８と、冷却ゾーン２０４を通過した冷却空気２０７を加熱するヒータ２０９を備えることにより、除湿ロータ２０１の回転の間に、室内空気２０５を除湿ファン２０６で除湿ゾーン２０２に通過させて水分を除湿ロータ２０１で吸着除去して除湿後空気２１１としている。また、再生ゾーン２０３において、ヒータ２０９を通過させた加熱後の再生空気２１０を通過させて、除湿ロータ２０１に吸着した水分を脱着し、さらに冷却ゾーン２０４において、冷却空気２０７で除湿ロータ２０１を冷却し水分を再吸着できるよう再生し、連続して室内空気２０５を除湿している。また、この冷却ゾーン２０４通過後の冷却空気２０７を冷却ファン２０８でヒータ２０９に送風し、再生空気２１０としている。
【０００５】
【発明が解決しようとする課題】
このような従来の除湿装置では、長時間の運転を行ったとき、フィルタ等で除去できないタバコのヤニ等の微量な室内汚染物質が除湿ロータに付着し、除湿性能が劣化するという課題があり、室内汚染物質で除湿性能を劣化させないことが要求されている。
【０００６】
また、連続して室内空気を除湿するために、水分を吸着できる部分が除湿ロータの一部分の除湿ゾーンに限定されるため、除湿ロータが大きくなり結果として除湿装置が大きくなるという課題があり、除湿装置を小型化することが要求されている。
【０００７】
また、除湿ロータを再生させるため再生ヒータが必要でランニングエネルギが大きいという課題があり、エネルギ入力が小さい省エネルギ装置が要求されている。
【０００８】
本発明は、このような従来の課題を解決するものであり、除湿部材を常に清浄に保ち、室内汚染物質による除湿性能の劣化を防ぐことができ、また、水分を分解して高い除湿性能を得ることができ、また、除湿素子の小型化と共に除湿装置を小型化することができ、また再生ヒータの必要がなくランニングエネルギの小さい省エネルギ運転をすることができ、また間欠運転によりランニングエネルギの小さい省エネルギ運転と装置の長寿命化を図ることができ、また起電力を利用してランニングエネルギの小さい省エネルギ運転をすることのできる除湿素子及び除湿装置を提供することを目的としている。
【０００９】
【課題を解決するための手段】
本発明の除湿素子は上記目的を達成するために、内周面から外周面まで微細な孔が連続する多孔体からなる筒状除湿部材の外周面に光触媒を担持し、前記筒状除湿部材の外周面側に前記光触媒を励起する励起手段を設け、室内空気中の水分を筒状除湿部材で吸着して、筒状除湿部材の外周面に担持された励起状態の光触媒により一部の水分を酸素と水素に分解し、また一部の水分を筒状除湿部材の孔を通じて排除することにより除湿する除湿素子としたものである。
【００１０】
そして本発明によれば、水分を分解して高い除湿性能を得ることができ、除湿部材を常に清浄に保ち、室内汚染物質による除湿性能の劣化を防ぐことができる除湿素子が得られる。
【００１３】
また他の手段は、内周面から外周面まで微細な孔が連続する多孔体からなる筒状除湿部材の内周面に、多孔材からなる突起部分を中心方向に、ヒダ状に突起させ、この突起部分を円周方向に配列させ、この突起部分に光触媒を担持し、この光触媒を励起する励起手段を前記筒状除湿部材の中空部に設け、光触媒の担持面積を増加させ、室内空気中の水分を励起された光触媒により、酸素と水素に分解することによって除湿する除湿素子としたものである。
【００１４】
そして本発明によれば、水分を分解して高い除湿性能を得ることができ、除湿部材を常に清浄に保ち、室内汚染物質による除湿性能の劣化を防ぐことができ、また、除湿素子の小型化とともに、除湿装置を小型化することのできる除湿素子が得られる。
【００１７】
また他の手段は、内周面から外周面まで微細な孔が連続する多孔体からなる筒状除湿部材の内周面に光触媒を担持し、この光触媒を励起する励起手段を前記筒状除湿部材の中空部に設け、前記筒状除湿部材の多孔体を内層と外層に２層化し、この内層と外層の間に透湿性フィルムを挟み、前記内層に吸着した水分が前記外層の外面に移行することを助長することのできる除湿素子としたものである。
【００１８】
そして本発明によれば、室内空気中の水分を分解して高い除湿性能を得ることができ、除湿部材を常に清浄に保ち、室内汚染物質による除湿性能の劣化を防ぐことができ、また、除湿素子の小型化とともに、除湿装置を小型化することのできる除湿素子が得られる。
【００１９】
また他の手段は、内周面から外周面まで微細な孔が連続する多孔体からなる筒状除湿部材に光触媒を担持し、前記筒状除湿部材の外周面に、酸化触媒を塗布した陽子交換膜を設け、筒状除湿部材に吸着した水分を励起された光触媒により酸素と水素に分解し、その水素は筒状除湿部材の外周面に移行し、酸化触媒を塗布した陽子交換膜で水素イオン化され、換気空気中の酸素と反応して水分を生成し、また、その反応熱で蒸発を促進し、室内空気を除湿できる除湿素子としたものである。
【００２０】
そして本発明によれば、除湿素子の小型化とともに除湿装置を小型化することができ、また、再生ヒータの必要がなく、ランニングエネルギの小さい省エネルギ運転をすることのできる除湿素子が得られる。
【００２１】
また他の手段は、内周面から外周面まで微細な孔が連続する多孔体からなる筒状除湿部材に光触媒を担持し、前記筒状除湿部材の外周面に酸化触媒を塗布した網目状陽子交換膜を設け、筒状除湿部材に吸着した水分を励起された光触媒により酸素と水素に分解し、その酸素と水素は筒状除湿部材の外周面に移行し、水素は酸化触媒を塗布した網目状陽子交換膜で水素イオン化され、網目状陽子交換膜をすり抜けた酸素と反応して水分を生成し、また、その反応熱で水分の蒸発を促進し、室内空気を除湿できる除湿素子としたものである。
【００２２】
そして本発明によれば、除湿素子の小型化とともに除湿装置を小型化することができ、再生ヒータの必要がなく、ランニングエネルギの小さい省エネルギ運転をすることのできる除湿素子が得られる。
【００２３】
また他の手段は、内周面から外周面まで微細な孔が連続する多孔体からなる筒状除湿部材に光触媒を担持し、前記筒状除湿部材の外周面に、多孔性アノード電極膜と、酸化触媒を塗布した陽子交換膜と、多孔性カソード電極膜を順次設け、筒状除湿部材に吸着した水分を励起された光触媒により酸素と水素に分解し、その水素は筒状除湿部材の外周面に移行し、酸化触媒を塗布した陽子交換膜で水素イオン化され、換気空気中の酸素と反応して水分を生成し、その時の起電力を送風機や励起手段の入力に利用できる除湿素子としたものである。
【００２４】
そして本発明によれば、起電力を利用してランニングエネルギの小さい省エネルギ運転をすることのできる除湿素子が得られる。
【００２５】
また他の手段は、内周面から外周面まで微細な孔が連続する多孔体からなる筒状除湿部材に光触媒を担持し、前記筒状除湿部材の外周面に、多孔性アノード電極膜と、酸化触媒を塗布した陽子交換膜と、多孔性カソード電極膜を順次設けたものを１ブロックとし、軸方向に平行して複数ブロック配列し、各ブロック間を絶縁部で絶縁し、さらに各ブロック間の前記多孔性アノード電極膜と前記多孔性カソード電極膜を導電部で直列に結線し、水素は、酸化触媒を塗布した陽子交換膜で水素イオン化され、換気空気中の酸素と反応して水分を生成し、その時１ブロックで約１Ｖの起電力を発生し、各ブロック間を直列に結線して送風機や励起手段に利用し易い電力を得ることができる除湿素子としたものである。
【００２６】
そして本発明によれば、起電力を利用してランニングエネルギの小さい省エネルギ運転をすることのできる除湿素子が得られる。
【００２７】
また他の手段は、筒状除湿部材に光触媒を担持し、軸方向に並列して複数個設け、１個あたりの筒状除湿部材を小型化し、除湿素子全体の体積を縮小しながら光触媒の担持面積を増加でき、室内空気中の水分を励起された光触媒により、酸素と水素に分解することによって除湿する除湿素子としたものである。
【００２８】
そして本発明によれば、水分を分解して高い除湿性能を得ることができ、除湿部材を常に清浄に保ち、室内汚染物質による除湿性能の劣化を防ぐことができ、また、除湿素子の小型化と共に、除湿装置を小型化することのできる除湿素子が得られる。
【００２９】
また他の手段は、導入口と給気口を備えた本体の内部に、室内空気を循環するファンとモータを有する循環送風機と、光触媒を担持した筒状除湿部材の中空部に光触媒を励起する励起手段と、前記筒状除湿部材の導入口側にフィルタを設け、本体に吸気口と排気口を設け、循環送風機により導入口から導入した室内空気を筒状除湿部材に通過させ、給気口に導き室内に給気するが、室内空気を筒状除湿部材に通過させる時、室内空気中の水分の一部を光触媒により水素と酸素に分解し、残りの水分と共に筒状除湿部材の外周面へ移行し、換気送風機による換気空気によって取り除かれ、室内空気を除湿する除湿装置としたものである。
【００３０】
そして本発明によれば、再生ヒータの必要がなくランニングエネルギが小さい省エネルギ運転をすることのできる除湿装置が得られる。
【００３１】
また他の手段は、導入口と給気口を備えた本体の内部に、室内空気を循環するファンとモータを有する循環送風機と、光触媒を担持した筒状除湿部材と、前記光触媒を励起する励起手段と、前記除湿部材の導入口側にフィルタと水分及び水蒸気を排出する排出口を設け、循環送風機により導入口から導入した室内空気を筒状除湿部材に通過させ、給気口に導き室内に吸気するが、室内空気を筒状除湿部材に通過させる時、室内空気中の水分の一部を光触媒により水素と酸素に分解し、残りの水分と共に筒状除湿部材の外周面へ移行して、筒状除湿部材の外周面に設けた陽子交換膜の反応熱により筒状除湿部材から水分を脱着蒸発し、排出口より排出して室内空気を除湿する除湿装置としたものである。
【００３２】
そして本発明によれば、再生ヒータの必要がなくランニングエネルギが小さい省エネルギ運転をすることのできる除湿装置が得られる。
【００３３】
また他の手段は、導入口と給気口を備えた本体の内部に、室内空気を循環するファンとモータを有する循環送風機と、光触媒を担持した筒状除湿部材と、前記光触媒を励起する励起手段と、前記筒状除湿部材の導入口側にフィルタと蒸気を凝縮する凝縮部と、この凝縮部の下方に貯水部を設け、筒状除湿部材に吸着した水分を筒状除湿部材の外周面へ移行するが、このとき、凝縮部で蒸気が冷却凝縮されるために、筒状除湿部材の外周面は湿度が低く、筒状除湿部材の外周面に移行した水分が蒸発し、さらに、この蒸気が凝縮部で冷却凝縮され貯水部に落下して貯水し、室内空気を除湿する除湿装置としたものである。
【００３４】
そして本発明によれば、除湿部の小型化とともに除湿装置を小型化することができる除湿装置が得られる。
【００３５】
また他の手段は、給気口に湿度検知素子と、この湿度検知素子の入力を検知する湿度検知手段と、前記湿度検知素子と前記湿度検知手段により励起手段を駆動させる駆動回路を設け、給気口で室内に給気される室内空気の湿度測定を行い、設定以下に除湿されていたなら励起手段を停止し、設定以上なら励起手段を駆動させる除湿装置としたものである。
【００３６】
そして本発明によれば、間欠運転によりランニングエネルギが小さい省エネルギ運転をすることのできる除湿装置が得られる。
【００３７】
また他の手段は、一定時間で接点が開閉する設定時間計測手段を設け、この設定時間計測手段により、光触媒を励起させる励起手段を駆動させる駆動回路を設け、励起手段を間欠運転する除湿装置としたものである。
【００３８】
そして本発明によれば、間欠運転によりランニングエネルギの小さい省エネルギ運転をすることのできる除湿装置が得られる。
【００３９】
また他の手段は、ヒータを設け、筒状除湿部の外面に移行した水分の蒸発除去することを助長し、室内空気を除湿できる除湿装置としたものである。
【００４０】
そして本発明によれば、筒状除湿部の小型化とともに除湿装置を小型化することができる除湿装置が得られる。
【００４１】
また他の手段は、湿度検知素子と湿度検知手段によりヒータを駆動させる駆動回路を設け、給気口で室内に給気される室内空気の湿度測定を行い、設定以下に除湿されていたならヒータを停止し、設定以上ならヒータを駆動する除湿装置としたものである。
【００４２】
そして本発明によれば、間欠運転によりランニングエネルギの小さい省エネルギ運転をすることのできる除湿装置が得られる。
【００４３】
【発明の実施の形態】
本発明は、内周面から外周面まで微細な孔が連続する多孔体からなる筒状除湿部材の外周面に光触媒を担持し、前記筒状除湿部材の外周面側に前記光触媒を励起する励起手段を設けた、室内空気中の水分を筒状除湿素子で吸着して、一部の水分を励起された光触媒により酸素と水素に分解し、また一部の水分を筒状除湿部材の孔を通じて排除するという作用を有する。
【００４５】
また、内周面から外周面まで微細な孔が連続する多孔体からなる筒状除湿部材の内周面に、多孔材からなる突起部分を中心方向に、ヒダ状に突起させ、この突起部分を円周方向に配列させ、この突起部分に光触媒を担持し、この光触媒を励起する励起手段を前記筒状除湿部材の中空部に設け、除湿できる除湿素子としたものであり、光触媒の担持面積が増加するとともに、室内空気中の水分を励起された光触媒により、酸素と水素に分解することによって除湿するという作用を有する。
【００４７】
また、内周面から外周面まで微細な孔が連続する多孔体からなる筒状除湿部材の内周面に光触媒を担持し、この光触媒を励起する励起手段を前記筒状除湿部材の中空部に設け、前記筒状除湿部材の多孔体を内層と外層に２層化し、この内層と外層の間に透湿性フィルムを挟み、筒状除湿部材の内層に吸着した水分を筒状除湿部材の外層の外面に移行することを助長するという作用を有する。
【００４８】
また、内周面から外周面まで微細な孔が連続する多孔体からなる筒状除湿部材に光触媒を担持し、前記筒状除湿部材の外周面に、酸化触媒を塗布した陽子交換膜を設け、筒状除湿部材に吸着した水分を励起された光触媒により酸素と水素に分解し、その水素は筒状除湿部材の外周面に移行し、酸化触媒を塗布した陽子交換膜で水素イオン化され、換気空気中の酸素と反応して水分を生成し、また、その反応熱で蒸発を促進し、室内空気を除湿するという作用を有する。
【００４９】
また、内周面から外周面まで微細な孔が連続する多孔体からなる筒状除湿部材に光触媒を担持し、前記筒状除湿部材の外周面に酸化触媒を塗布した網目状陽子交換膜を設け、筒状除湿部材に吸着した水分を励起された光触媒により酸素と水素に分解し、その酸素と水素は筒状除湿部材の外周面に移行し、水素は酸化触媒を塗布した網目状陽子交換膜で水素イオン化され、網目状陽子交換膜をすり抜けた酸素と反応して水分を生成し、また、その反応熱で蒸発を促進された水分を排除するという作用を有する。
【００５０】
また、内周面から外周面まで微細な孔が連続する多孔体からなる筒状除湿部材に光触媒を担持し、前記筒状除湿部材の外周面に、多孔性アノード電極膜と、酸化触媒を塗布した陽子交換膜と、多孔性カソード電極膜を順次設け、筒状除湿部材に吸着した水分を励起された光触媒により酸素と水素に分解し、その水素は筒状除湿部材の外周面に移行し、酸化触媒を塗布した陽子交換膜で水素イオン化され、換気空気中の酸素と反応して水分を生成し、その時の起電力を送風機や励起手段の入力に利用できる。
【００５１】
また、内周面から外周面まで微細な孔が連続する多孔体からなる筒状除湿部材に光触媒を担持し、前記筒状除湿部材の外周面に、多孔性アノード電極膜と、酸化触媒を塗布した陽子交換膜と、多孔性カソード電極膜を順次設けたものを１ブロックとし、軸方向に平行して複数ブロック配列し、各ブロック間を絶縁部で絶縁し、さらに各ブロック間の前記多孔性アノード電極膜と前記多孔性カソード電極膜を導電部で直列に結線し、水素は、酸化触媒を塗布した陽子交換膜で水素イオン化され、換気空気中の酸素と反応して水分を生成し、その時１ブロックで約１Ｖの起電力を発生し、各ブロック間を直列に結線して送風機や励起手段に利用し易い電力を得ることができる。
【００５２】
また、筒状除湿部材に光触媒を担持し、軸方向に並列して複数個設け、１個あたりの除湿部材を小型化し、除湿素子全体の体積を縮小しながら光触媒の担持面積を増加することができ、室内空気中の水分を励起された光触媒により、酸素と水素に分解することによって除湿するという作用を有する。
【００５３】
また、導入口と給気口を備えた本体の内部に、室内空気を循環するファンとモータを有する循環送風機と、光触媒を担持した筒状除湿部材の中空部に光触媒を励起する励起手段と、前記筒状除湿部材の導入口側にフィルタを設け、本体に吸気口と排気口を設け、循環送風機により導入口から導入した室内空気を筒状除湿部材に通過させ、給気口に導き室内に給気するが、室内空気を筒状除湿部材に通過させる時、室内空気中の水分の一部を励起された光触媒により水素と酸素に分解し、残りの水分と共に筒状除湿部材の外周面へ移行し、換気送風機による換気空気によって取り除く作用を有する。
【００５４】
また、排出口と、導入口と給気口を備え、室内空気を循環させるファンとモータを有する循環送風機と、光触媒を担持した筒状除湿部材と、この筒状除湿部材の導入口側にフィルタを設け、循環送風機により導入口から導入した室内空気を筒状除湿部材に通過させ、給気口に導き室内に吸気するが、室内空気を筒状除湿部材に通過させる時、室内空気中の水分を励起された光触媒により水素と酸素に分解し、室内空気を除湿するという作用を有する。
【００５５】
また、導入口と給気口を備えた本体の内部に、室内空気を循環するファンとモータを有する循環送風機と、光触媒を担持した筒状除湿部材と、前記光触媒を励起する励起手段と、前記筒状除湿部材の導入口側にフィルタと蒸気を凝縮する凝縮部と、この凝縮部の下方に貯水部を設け、筒状除湿部材に吸着した水分を励起された光触媒により酸素と水素に分解し、その酸素と水素は筒状除湿部材の外周面に移行し、凝縮部で冷却凝縮し、貯水部で貯水し室内空気を除湿するという作用を有する。
【００５６】
また、本体内の給気口に湿度検知素子と、この湿度検知素子の入力を検知する湿度検知手段を本体外に設け、前記湿度検知素子と前記湿度検知手段により、光触媒を励起する励起手段を駆動させる駆動回路を設け、給気口で室内に給気される室内空気の湿度測定を行い、設定以下に除湿されていたなら励起手段を停止し、設定以上なら励起手段を間欠運転する作用を有する。
【００５７】
また、一定時間で接点が開閉する設定時間計測手段を設け、この設定時間計測手段により励起手段を駆動させる駆動回路を設け、励起手段を間欠運転するという作用を有する。
【００５８】
また、ヒータを設け、筒状除湿部の外周面に移行した水分の蒸発除去することを助長する作用を有する。
【００５９】
また、湿度検知素子と湿度検知手段によりヒータを駆動させる駆動回路を設け、給気口で室内に給気される室内空気の湿度測定を行い、設定以下に除湿されていたならヒータを停止し、設定以上ならヒータを駆動させ、ヒータを間欠運転するという作用を有する。
【００６０】
【実施例】
（参考例１）
図１に示すように、活性炭不織布からなるロータ状の除湿部材１の表面に光触媒２を担持して除湿素子３とし、室内空気４を除湿部材１に通過させている。
【００６１】
上記構成により、室内空気４を除湿部材１に通過させる時、この室内空気４の水分を除湿部材１に吸着させるが、除湿部材１の表面に担持した光触媒２の酸化分解作用により除湿部材１の表面が常に浄化され、高い親水性状態が形成され、除湿部材１を常に清浄に保ち室内汚染物質で除湿性能を劣化させない除湿素子３が得られる。
【００６２】
なお、参考例では、除湿部材を活性炭不織布からなるとしたが、シリカゲル、ゼオライト、アルミナ等、吸水性のあるどんな吸着体を使用してもよく、その作用効果に差異を生じない。
【００６３】
また、除湿部材の形状をロータ状としたが、直方体でもよい。また、除湿部材の内部形状を不織布としたが、焼結状、スポンジ状でもよい。
【００６４】
また、励起手段を記載していないが、紫外線等の励起手段を用いても、さらに除湿装置外部からの入射光を用いてもよい。
【００６５】
（参考例２）
図２は、内周面５から外周面６まで微細な孔７が連続する多孔体からなる筒状除湿部材に、光触媒２を担持した除湿素子３を示している。
【００６６】
上記構成より、室内空気４中の水分を筒状除湿部材８で吸着して、一部の水分を励起された光触媒２により酸素と水素に分解し、また一部の水分を筒状除湿部材８の孔７を通じて排除することにより水分を分解して高い除湿性能を得ることができ、筒状除湿部材８を常に清浄に保ち、室内汚染物質による除湿性能の劣化を防ぐことのできる除湿素子３が得られる。
【００６７】
なお、参考例では、励起手段を特定していないが、励起手段は波長が３２０〜４００ｎｍの紫外線を照射する紫外線灯や、蛍光灯、太陽光、および、これらの乱反射光、除湿装置外部からの入射光を使用してもよく、光触媒を励起する手段であればよい。
【００６８】
（参考例３）
図３は、筒状除湿部材８の内周面５に光触媒２を担持し、この光触媒２を励起する励起手段９を筒状除湿部材８の中空部１０に設けた除湿素子３を示している。
【００６９】
上記構成により、室内空気４中の水分を筒状除湿部材８で吸着して、一部の水分を励起された光触媒２により酸素と水素に分解し、また一部の水分を筒状除湿部材８の孔７を通じて筒状除湿部材８の外周面６へ排除して高い除湿性能を得ることができ、筒状除湿部材８を常に清浄に保ち、室内汚染物質による除湿性能の劣化を防ぐことができる除湿素子３が得られる。
【００７０】
（実施例１）
図４は、筒状除湿部材８の外周面６に光触媒２を担持し、前記筒状除湿部材８の外周面６側に前記光触媒２を励起する励起手段９を設けた除湿素子３を示している。
【００７１】
上記構成により、室内空気４中の水分を筒状除湿部材８で吸着して、一部の水分を励起された光触媒２により酸素と水素に分解し、また一部の水分を筒状除湿部材８の孔７を通じて筒状除湿部材８の内周面５へ排除して高い除湿性能を得ることができ、筒状除湿部材８を常に清浄に保ち、室内汚染物質による除湿性能の劣化を防ぐことができる除湿素子３が得られる。
【００７２】
（参考例４）
図５は、内周面５から外周面６までハニカム孔１１が連通しているハニカム状とした筒状除湿部材８に、光触媒２を担持し、前記筒状除湿部材８の中空部１０に光触媒２を励起する励起手段９を設けた除湿素子３を示している。
【００７３】
上記構成により、室内空気４中の水分を筒状除湿部材８で吸着し、この水分を励起された光触媒２により酸素と水素に分解して、高い除湿性能を得ることができ、筒状除湿部材８を常に清浄に保ち、室内汚染物質による除湿性能の劣化を防ぐことができる除湿素子３が得られる。
【００７４】
（実施例２）
図６は、筒状除湿部材８の内周面５に、多孔材からなる突起部分１２を、中心方向に、ヒダ状に突起させ、この突起部分１２を円周方向に配列させ、この突起部分１２に光触媒２を担持し、この光触媒２を励起する励起手段９を前記筒状除湿部材８の中空部１０に設けた除湿素子３を示している。
【００７５】
上記構成により、光触媒２の担持面積を増加させ、室内空気４中の水分を励起された光触媒２により酸素と水素に分解して、高い除湿性能を得ることができ、筒状除湿部材８を常に清浄に保ち、室内汚染物質による除湿性能の劣化を防ぐことができる除湿素子３が得られる。
【００７６】
（参考例５）
図７は、筒状除湿部材８の外周面６に、多孔材からなる突起部分１２を外向きに、ヒダ状に突起させて、この突起部分１２を円周方向に配列させ、この突起部分１２に光触媒２を担持した除湿素子３を示している。
【００７７】
上記構成により、光触媒２の担持面積を増加させ、室内空気４中の水分を励起された光触媒２により酸素と水素に分解して、高い除湿性能を得ることができ、筒状除湿部材８を常に清浄に保ち、室内汚染物質による除湿性能の劣化を防ぐことができる除湿素子３が得られる。
【００７８】
（参考例６）
図８は、複数個の中空部１０を、筒状除湿部材８の軸方向に並行して貫通させ、前記筒状除湿部材８の内周面５または外周面６に光触媒２を担持した除湿素子３を示している。
【００７９】
上記構成により、室内空気４中の水分を励起された光触媒２により酸素と水素に分解して、高い除湿性能を得ることができ、筒状除湿部材８を常に清浄に保ち、室内汚染物質による除湿性能の劣化を防ぐことができる除湿素子３が得られる。
【００８０】
（実施例３）
図９は、筒状除湿部材８の多孔体を内層１３と外層１４に２層化し、この内層１３と外層１４の間にフッ素樹脂製の微多孔性の透湿性フィルム１５を挟んだ除湿素子３を示している。
【００８１】
上記構成により、筒状除湿部材８の内層１３に吸着した水分が透湿性フィルム１５の高い透湿性により筒状除湿部材８の外層１４の外面１６に移行することを助長し、高い除湿性能を得ることができ、筒状除湿部材８を常に清浄に保ち、室内汚染物質による除湿性能の劣化を防ぐことができる除湿素子３が得られる。
【００８２】
なお実施例では、透湿性フィルムをフッ素樹脂製の微多孔性フィルムとしたが、ポリエステル系、セロファン、ウレタン系など高透湿性フィルムであればよい。
【００８３】
（実施例４）
図１０および図１１は、筒状除湿部材８の外周面６に、白金系の酸化触媒１７を塗布した陽子交換膜１８を設けた除湿素子３を示している。
【００８４】
上記構成により、筒状除湿部材８に吸着した水分を励起された光触媒２により酸素と水素に分解し、その水素は筒状除湿部材８の外周面６に移行し、酸化触媒１７を塗布した陽子交換膜１８で水素イオン化され、換気空気中の酸素と反応して水分を生成し、また、その反応熱で蒸発を促進するため、除湿素子の小型化とともに除湿装置を小型化することができ、また、再生ヒータの必要がなく、ランニングエネルギの小さい省エネルギ運転をすることのできる除湿素子３が得られる。
【００８５】
なお、実施例では、白金系の酸化触媒を使用したが、他の酸化触媒でもよい。
【００８６】
（実施例５）
図１２は、筒状除湿部材８の外周面６に酸化触媒１７を塗布した網目状陽子交換膜１９を設けた除湿素子３を示している。
【００８７】
上記構成により、筒状除湿部材８に吸着した水分を励起された光触媒２により酸素と水素に分解し、その酸素と水素は筒状除湿部材８の外周面６に移行し、水素は酸化触媒１７を塗布した網目状陽子交換膜１９で水素イオン化され、一方、酸素は網目状陽子交換膜１９をすり抜け、水素イオンと網目状陽子交換膜１９に塗布された酸化触媒１７上で反応して水分を生成し、また、その反応熱で蒸発を促進するため、除湿素子の小型化とともに除湿装置を小型化することができ、また、再生ヒータの必要がなく、ランニングエネルギの小さい省エネルギ運転をすることのできる除湿素子３が得られる。
【００８８】
（実施例６）
図１３および図１４は、筒状除湿部材８の外周面６に、多孔性アノード電極膜２０と、この外面に酸化触媒１７を塗布した陽子交換膜１８と、多孔性カソード電極膜２１を順次設けた除湿素子３を示している。
【００８９】
上記構成により、筒状除湿部材８に吸着した水分を励起された光触媒２により酸素と水素に分解し、その水素は筒状除湿部材８の外周面６に移行し、酸化触媒１７を塗布した陽子交換膜１８で水素イオン化され、換気空気中の酸素と酸化触媒１７上で反応して水分を生成し、その時の起電力を多孔性アノード電極膜２０と多孔性カソード電極膜２１に受け、送風機（図示せず）や励起手段の入力に利用してランニングエネルギの小さい省エネルギ運転をすることのできる除湿素子３が得られる。
【００９０】
なお、実施例では陽子交換膜で説明したが、網目状陽子交換膜を用いてもよい。
【００９１】
また、実施例では筒状除湿部材で説明したが、その形状はロータ状、直方体でもよい。
【００９２】
（実施例７）
図１５は、筒状除湿部材８の外周面６に多孔性アノード電極膜２０と、酸化触媒１７を塗布した陽子交換膜１８と、多孔性カソード電極膜２１を順次設けたものを１ブロックとし、軸方向に平行して複数ブロック配列し、各ブロック間を絶縁部２２で絶縁し、さらに各ブロック間の前記多孔性アノード電極膜２０と前記多孔性カソード電極膜２１を導電部２３で直列に結線した除湿素子３を示している。
【００９３】
上記構成により、筒状除湿部材８に吸着した水分を励起手段９で励起した光触媒２により酸素と水素に分解し、その水素は、酸化触媒１７を塗布した陽子交換膜１８で水素イオン化され、換気空気中の酸素と反応して水分を生成し、その時１ブロックの多孔性アノード電極膜２０と多孔性カソード電極膜２１間で約１Ｖの起電力を発生するため、その起電力を利用してランニングエネルギの小さい省エネルギ運転をすることのできる除湿素子３が得られる。
【００９４】
（実施例８）
図１６は、筒状除湿部材８を軸方向に並列して複数個設けた除湿素子３を示している。
【００９５】
上記構成により、１個あたりの筒状除湿部材８を小型化し、除湿素子３全体の体積を縮小しながら光触媒２の担持面積を増加することができ、室内空気４中の水分を励起された光触媒２により水分を水素と酸素に分解して、高い除湿性能を得ることができ、筒状除湿部材８を常に清浄に保ち、室内汚染物質による除湿性能の劣化を防ぐことができ、また、除湿素子の小型化とともに除湿装置を小型化することができる除湿素子３が得られる。
【００９６】
（参考例７）
図１７は、導入口２４と給気口２５を備えた本体の内部に、室内空気４を循環するファンとモータを有する循環送風機２６と、光触媒２を担持した除湿素子３と、この除湿素子３の導入口２４側に、光触媒２を励起する励起手段９と、フィルタ２７を設けた除湿装置２８を示している。
【００９７】
上記構成により、循環送風機２６によって導入口２４から導入した室内空気４を除湿素子３に通過させ、給気口２５に導き室内に給気するが、室内空気４を除湿素子３に通過させる時、室内空気４中の水分を光触媒２により水素と酸素に分解して、高い除湿性能を得ることができ、また再生ヒータの必要がなくランニングエネルギが小さい省エネルギ運転をすることのできる除湿装置２８が得られる。
【００９８】
（実施例９）
図１８は、導入口２４と給気口２５を備え、室内空気４を循環するファンとモータを有する循環送風機２６と、光触媒２を担持した筒状除湿部材８と、この筒状除湿部材８の導入口２４側にフィルタ２７を順次設け、また、他方に吸気口２９と排気口３０を設け、筒状除湿部材８の外側に換気空気を送風するファンとモータを有する換気送風機３１を設けた除湿装置２８を示している。
【００９９】
上記構成により、循環送風機２６によって導入口２４から導入した室内空気４を筒状除湿部材８に通過させ、給気口２５に導き室内に給気するが、室内空気４を筒状除湿部材８に通過させる時、室内空気４中の水分の一部を光触媒２により水素と酸素に分解させ、残りの水分と共に筒状除湿部材８の外周面６へ移行し、換気送風機３１による換気空気３２によって取り除くことができ、また、再生ヒータの必要がなくランニングエネルギが小さい省エネルギ運転をすることのできる除湿装置２８が得られる。
【０１００】
（実施例１０）
図１９は、導入口２４と給気口２５を備えた本体内部に、室内空気４を循環させるファンとモータを有する循環送風機２６と、光触媒２を担持した筒状除湿部材８と、前記光触媒２を励起する励起手段９と、筒状除湿部材８の導入口２４側にフィルタ２７と、水分および蒸気を排出する排出口３３を設けた除湿装置２８を示している。
【０１０１】
上記構成により、循環送風機２６によって導入口２４から導入した室内空気４を筒状除湿部材８に通過させ、給気口２５に導き室内に吸気するが、室内空気４を筒状除湿部材８に通過させる時、室内空気４中の水分の一部は光触媒２により水素と酸素に分解し、残りの水分と共に筒状除湿部材８の外周面６へ移行して、筒状除湿部材８の外周面６に設けた陽子交換膜１８の反応熱により筒状除湿部材８から水分を脱着蒸発させて排出口３３より排出させ、また再生ヒータの必要がなくランニングエネルギが小さい省エネルギ運転をすることのできる除湿装置２８が得られる。
【０１０２】
（実施例１１）
図２０は、導入口２４と給気口２５を備えた本体の内部に、室内空気４を循環させるファンとモータを有する循環送風機２６と、光触媒２を担持した筒状除湿部材８と、前記光触媒２を励起する励起手段９と、前記筒状除湿部材８の導入口２４側にフィルタ２７と、前記筒状除湿部材８の外周面６側に、蒸気を凝縮する凝縮部３４と、この凝縮部３４の下方に貯水部３５を設けた除湿装置２８を示している。
【０１０３】
上記構成により、筒状除湿部材８に吸着した水分を筒状除湿部材８の外周面６に移行し、筒状除湿部材８の外周面６は、蒸気が凝縮部３４で冷却凝縮されるために湿度が低く、筒状除湿部材８の外周面６に移行した水分が蒸発し、さらに、この蒸気が凝縮部３４で冷却凝縮され貯水部３５に落下して貯水し、除湿装置を小型化することができる除湿装置２８が得られる。
【０１０４】
（実施例１２）
図２１、図２２および図２３は、本体内の給気口２５に湿度検知素子３６と、本体の外面に、前記湿度検知素子３６の入力を検知する湿度検知手段４０と、励起手段９を駆動及び停止させる除湿装置スイッチ３７と、除湿装置スイッチ３７の入力信号を受けて、励起手段９の制御を行う制御部３８を設けた除湿装置２８を示している。
【０１０５】
図２２において、制御部３８には励起手段９を駆動させる駆動回路３９と、湿度検知素子３６の入力を検知する湿度検知手段４０と励起手段９が駆動しているか判断する励起駆動判断手段４１を設けている。
【０１０６】
上記構成により、給気口２５に設けた湿度検知素子３６で、室内に給気される室内空気４の湿度測定を行い、設定以下に除湿されていたなら励起手段９を停止し、設定以上なら励起手段９を駆動させ励起手段９を間欠運転することとなる。
【０１０７】
また制御部分について、励起手段９は、除湿装置スイッチ３７の運転入力の信号を受けて励起手段９の運転を制御する駆動回路３９を通じて励起手段９を駆動させる。湿度検知手段４０は、湿度検知素子３６の入力信号を受け、室内空気４の湿度測定が設定以下に除湿されていたなら駆動回路３９を通じ励起手段９を停止し、設定以上なら駆動回路３９を通じ励起手段９を駆動させている。
【０１０８】
図２３において、除湿装置の励起手段９の動作は、ステップ１００で除湿装置スイッチ３７の運転入力を確認し、入力がなければステップ１００を繰り返す。ステップ１００で除湿装置スイッチ３７の運転入力が確認されると、ステップ１０１へ進み、湿度検知素子３６の湿度検知をスタートさせ、ステップ１０２へ移る。ステップ１０２で湿度検知素子３６の入力信号を受けた湿度検知手段４０は、室内空気４の湿度が設定以下ならばステップ１０３に進み励起手段９を駆動させ、設定以上ならステップ１０５に移り励起手段９を停止させる。またステップ１０３に進み励起手段９を駆動させた後はステップ１０４に移り、除湿装置スイッチ３７の停止入力を確認し、入力がなければステップ１０１に戻り、停止入力を確認したならステップ１０５に移る。ステップ１０５では励起手段９が駆動しているか判断し、駆動していない場合はステップ１０１に戻り湿度測定を繰り返し、駆動している場合はステップ１０６に進み励起手段９を停止させ、ステップ１００に戻り、以上の制御を繰り返し、間欠運転によりランニングエネルギが小さい省エネルギ運転をすることのできる除湿装置２８が得られる。
【０１０９】
（実施例１３）
図２４および図２５は、制御部３８に一定時間で接点が開閉する設定時間計測手段４２と、この設定時間計測手段４２により励起手段９を駆動させる駆動回路３９を示している。
【０１１０】
上記構成により、制御部３８に設けた設定時間計測手段４２で時間計測を行い、励起手段９を設定時間駆動した後停止し、設定時間停止した後、また励起手段９を駆動し励起手段９を間欠運転することとなる。
【０１１１】
また制御部分について、励起手段９は、除湿装置スイッチ３７の運転入力の信号を受けて励起手段９の運転を制御する駆動回路３９を通じて励起手段９を駆動させる。設定時間計測手段４２は、励起手段９の駆動信号を受けて時間計測を行い、設定時間経過後に駆動回路３９を通じ励起手段９を停止し、励起手段９の停止信号を受けた後、時間計測を行い、設定時間経過後に駆動回路３９を通じ励起手段９を駆動させる。
【０１１２】
図２５において、除湿装置の励起手段９の動作は、ステップ１０６で除湿装置スイッチ３７の運転入力を確認し、入力がなければステップ１０６を繰り返す。ステップ１０６で除湿装置スイッチ３７の運転入力が確認されると、ステップ１０７へ進み励起手段９を駆動させ、次にステップ１０８に進み駆動時間を計測する設定時間計測手段４２をスタートさせ、ステップ１０９へ移る。ステップ１０９で設定時間計測手段４２の計測時間が設定時間以内ならステップ１０９を繰り返し、設定時間以上ならステップ１１０に進み励起手段９を停止させ、ステップ１１１に進み停止時間を計測する設定時間計測手段４２をスタートさせ、ステップ１１２へ移る。ステップ１１２で設定時間計測手段４２の計測時間が設定時間以内ならステップ１１２を繰り返し、設定時間以上ならステップ１１３に移る。ステップ１１３で除湿装置スイッチ３７の停止入力を確認し、入力がなければステップ１０７に戻り、停止入力を確認したならステップ１０６に戻り、以上の制御を繰り返し、間欠運転によりランニングエネルギが小さい省エネルギ運転をすることのできる除湿装置２８が得られる。
【０１１３】
（実施例１４）
図２６は、ヒータ４３を設けた除湿装置２８を示している。
【０１１４】
上記構成により、吸気口２９より導入した換気空気３２を加温し、筒状除湿部材８の内周面５または外周面６に移行した水分の蒸発除去することを助長するので、除湿装置を小型化することができる除湿装置２８が得られる。
【０１１５】
（実施例１５）
図２７および図２８は、給気口２５に湿度検知素子３６と、この湿度検知素子３６の入力を検知する湿度検知手段４０と、ヒータ４３を駆動および停止させる除湿装置スイッチ３７と、除湿装置スイッチ３７の入力信号を受けて、ヒータ４３と励起手段９の制御を行う制御部３８を示している。
【０１１６】
図２７において、制御部３８にはヒータ４３を駆動させる駆動回路３９と、湿度検知素子３６の入力を検知する湿度検知手段４０と、ヒータ４３が駆動しているか判断するヒータ駆動判断手段４４を示している。
【０１１７】
上記構成により、給気口２５に設けた湿度検知素子３６で、室内に給気される室内空気４の湿度測定を行い、設定以下に除湿されていたならヒータ４３を停止し、設定以上ならヒータ４３を駆動させヒータ４３を間欠運転することとなる。
【０１１８】
また制御部分について、ヒータ４３は、除湿装置スイッチ３７の運転入力の信号を受けてヒータ４３の運転を制御する駆動回路３９を通じてヒータ４３を駆動させる。湿度検知手段４０は、湿度検知素子３６の入力信号を受け、室内空気４の湿度測定が設定以下に除湿されていたなら駆動回路３９を通じヒータ４３を停止し、設定以上なら駆動回路３９を通じてヒータ４３を駆動させている。
【０１１９】
図２８において、ヒータ４３の動作は、ステップ１１５で除湿装置スイッチ３７の運転入力を確認し、入力がなければステップ１１５を繰り返す。ステップ１１５で除湿装置スイッチ３７の運転入力が確認されると、ステップ１１６へ進み、湿度検知素子３６の湿度検知をスタートさせ、ステップ１１７へ移る。ステップ１１７で湿度検知素子３６の入力信号を受けた湿度検知手段４０は、室内空気４の湿度が設定以下ならばステップ１１８に進みヒータ４３を駆動させ、設定以上ならステップ１１９に移り除湿装置スイッチ３７の停止入力を確認し、入力がなければステップ１１６に戻り湿度測定を繰り返し、停止入力を確認したならステップ１２０に移る。ステップ１２０ではヒータ４３が駆動しているか判断し、駆動していない場合はステップ１１６に戻り湿度測定を繰り返し、駆動している場合はステップ１２１に進みヒータ４３を停止させ、ステップ１１５に戻り、以上の制御を繰り返し、間欠運転によりランニングエネルギが小さい省エネルギ運転をすることのできる除湿装置２８が得られる。
【０１２０】
【発明の効果】
以上の実施例から明らかなように、本発明によれば、除湿部材を常に清浄に保ち、室内汚染物質による除湿性能の劣化を防ぐことができる除湿素子および除湿装置を提供できる。
【０１２１】
また、水分を分解して、高い除湿性能をもつ除湿素子および除湿装置を提供できる。
【０１２２】
また、除湿素子および除湿装置を小型化することができ、また再生ヒータの必要がなくランニングエネルギが小さい省エネルギ運転をすることのできる除湿装置を提供できる。
【０１２３】
また、間欠運転によりランニングエネルギが小さい省エネルギ運転をすることのできる除湿装置を提供できる。
【０１２４】
そして本発明によれば、除湿素子の小型化とともに除湿装置を小型化することができる除湿装置を提供できる。
【０１２５】
そして本発明によれば、起電力を利用してランニングエネルギの小さい省エネルギ運転をすることのできる除湿装置を提供できる。
【図面の簡単な説明】
【図１】  本発明の第１参考例の除湿素子の斜視図
【図２】  同第２参考例の断面図
【図３】  同第３参考例の断面図
【図４】  同第１実施例の斜視図
【図５】  同第４参考例の断面図
【図６】  同第２実施例の断面図
【図７】  同第５参考例の斜視図
【図８】  同第６参考例の斜視図
【図９】  同第３実施例の断面図
【図１０】  同第４実施例の要部断面図
【図１１】  同断面図
【図１２】  同第５実施例の要部断面図
【図１３】  同第８実施例の要部断面図
【図１４】  同断面図
【図１５】  同第７実施例の要部断面図
【図１６】  同第８実施例の斜視図
【図１７】  同第７参考例の断面図
【図１８】  同第９実施例の断面図
【図１９】  同第１０実施例の断面図
【図２０】  同第１１実施例の断面図
【図２１】  同第１２実施例の断面図
【図２２】  同制御のブロック図
【図２３】  同プログラムのフローチャート
【図２４】  同第１３実施例のブロック図
【図２５】  同プログラムのフローチャート
【図２６】  同第１４実施例の断面図
【図２７】  同第１５実施例のブロック図
【図２８】  同プログラムのフローチャート
【図２９】  従来の除湿装置の模式図
【符号の説明】
１    除湿部材
２    光触媒
３    除湿素子
４    室内空気
５    内周面
６    外周面
７    孔
８    筒状除湿部材
９    励起手段
１０  中空部
１１  ハニカム孔
１２  突起部分
１３  内層
１４  外層
１５  透湿性フィルム
１７  酸化触媒
１８  陽子交換膜
１９  網目状陽子交換膜
２０  多孔性アノード電極膜
２１  多孔性カソード電極膜
２２  絶縁部
２３  導電部
２４  導入口
２５  給気口
２６  循環送風機
２７  フィルタ
２８  除湿装置
２９  吸気口
３０  排気口
３１  換気送風機
３２  換気空気
３３  排出口
３４  凝縮部
３５  貯水部
３６  湿度検知素子
３７  除湿装置スイッチ
３８  制御部
３９  駆動回路
４０  湿度検知手段
４１  励起駆動判断手段
４２  設定時間計測手段
４３  ヒータ
４４  ヒータ駆動判断手段
【図１】
0004241944.tif 000002
【図２】
0004241944.tif 000003
【図３】
0004241944.tif 000004
【図４】
0004241944.tif 000005
【図５】
0004241944.tif 000006
【図６】
0004241944.tif 000007
【図７】
0004241944.tif 000008
【図８】
0004241944.tif 000009
【図９】
0004241944.tif 000010
【図１０】
0004241944.tif 000011
【図１１】
0004241944.tif 000012
【図１２】
0004241944.tif 000013
【図１３】
0004241944.tif 000014
【図１４】
0004241944.tif 000015
【図１５】
0004241944.tif 000016
【図１６】
0004241944.tif 000017
【図１７】
0004241944.tif 000018
【図１８】
0004241944.tif 000019
【図１９】
0004241944.tif 000020
【図２０】
0004241944.tif 000021
【図２１】
0004241944.tif 000022
【図２２】
0004241944.tif 000023
【図２３】
0004241944.tif 000024
【図２４】
0004241944.tif 000025
【図２５】
0004241944.tif 000026
【図２６】
0004241944.tif 000027
【図２７】
0004241944.tif 000028
【図２８】
0004241944.tif 000029
【図２９】
0004241944.tif 000030